(57)【要約】【課題】小型化を図る上で有利な複数枚のレンズの取り付け構造およびカメラモジュール並びに電子機器を提供する。【解決手段】第１、第２、第３レンズ２０、２２、２４は、従来のようにレンズを保持するための専用の部材である筒状の部材を用いることなく、それらの光軸を合致させた状態で接着剤により固定されている。係合面２０１０、２２０６を係合させ、当接面２０１２、２２０８を当接して第１レンズ２０に第２レンズ２２が組み込まれる。係合面２２０６、２４１０を係合させ、当接面２２１０、２４１２を当接して第２レンズ２２に第３レンズ２４が組み込まれる。向かい合う円筒部２００６、２４０６の先端面２００６Ａ、２４０６Ａの間に紫外線硬化型接着剤６を充填する。紫外線硬化型接着剤６が硬化する際の硬化収縮により第１、第３レンズ２０、２４が光軸に沿った方向で互いに引き付けられる。【選択図】図４
2008262027.tif 000002
【特許請求の範囲】
【請求項１】
少なくとも３枚以上のレンズがそれらの光軸を合致させて並べられ、
前記光軸方向の両端にそれぞれ位置するレンズに互いに対向する部分が設けられ、
前記レンズの前記対向する部分は接着剤により固定されており、
前記光軸方向の両端に位置するレンズを除いた残りの全てのレンズは、前記接着剤の硬化収縮により前記光軸方向の両端に位置するレンズにより挟持固定されている、
ことを特徴とする複数枚レンズの取り付け構造。
【請求項２】
前記光軸方向の両端に位置するレンズの外周部に、それぞれ互いに対向する環板部が設けられ、
前記レンズの前記対向する部分は前記環板部で構成され、
前記接着剤は、互いに対向する前記環板部の周方向に間隔をおいた複数箇所に充填されている、
ことを特徴とする請求項１記載の複数枚レンズの取り付け構造。
【請求項３】
前記各レンズの外周部には、隣り合うレンズに係合してそれらレンズの光軸を合致させる係合面が形成されている、
ことを特徴とする請求項１記載の複数枚レンズの取り付け構造。
【請求項４】
前記係合面は、前記光軸を中心とした円筒面で形成されている、
ことを特徴とする請求項３記載の複数枚レンズの取り付け構造。
【請求項５】
前記係合面は、前記光軸を中心とした円錐面で形成されている、
ことを特徴とする請求項３記載の複数枚レンズの取り付け構造。
【請求項６】
前記各レンズの外周部には、隣り合うレンズに係合してそれらレンズの光軸を合致させる係合面と、前記光軸方向において当接する当接面が形成されている、
ことを特徴とする請求項１記載の複数枚レンズの取り付け構造。
【請求項７】
接着剤により固定された前記レンズの前記対向する部分は、前記レンズの半径方向外方に向かうにつれて互いに離れる方向に変位する傾斜面を含んで構成されている、
ことを特徴とする請求項１記載の複数枚レンズの取り付け構造。
【請求項８】
接着剤により固定された前記レンズの前記対向する部分は、前記光軸に直交する平面に対して平行する面上を延在して互いに向かい合う平面と、前記レンズの半径方向外方に位置する前記平面の端部から前記レンズの半径方向外方に向かうにつれて互いに離れる方向に変位する傾斜面とを含んで構成されている、
ことを特徴とする請求項１記載の複数枚レンズの取り付け構造。
【請求項９】
前記光軸方向の両端に位置するレンズの外径は、それらレンズの間に挟持固定されるレンズの外径よりも大きい寸法で形成されている、
ことを特徴とする請求項１記載の複数枚レンズの取り付け構造。
【請求項１０】
前記接着剤は紫外線硬化型接着剤である、
ことを特徴とする請求項１記載の複数枚レンズの取り付け構造。
【請求項１１】
撮像素子と、
被写体像を前記撮像素子に導く撮影光学系とを備え、
前記撮影光学系は３枚以上のレンズを含んで構成され、
前記３枚以上のレンズはそれらの光軸を合致させて並べられ、
前記光軸方向の両端にそれぞれ位置するレンズに互いに対向する部分が設けられ、
前記対向する部分は接着剤により固定されており、
前記光軸方向の両端に位置するレンズを除いた残りの全てのレンズは、前記接着剤の硬化収縮により前記光軸方向の両端に位置するレンズにより挟持固定されている、
ことを特徴とするカメラモジュール。
【請求項１２】
カメラモジュールが組み込まれた電子機器であって、
前記カメラモジュールは、
撮像素子と、
被写体像を前記撮像素子に導く撮影光学系とを備え、
前記撮影光学系は３枚以上のレンズを含んで構成され、
前記３枚以上のレンズはそれらの光軸を合致させて並べられ、
前記光軸方向の両端にそれぞれ位置するレンズに互いに対向する部分が設けられ、
前記対向する部分は接着剤により固定されており、
前記光軸方向の両端に位置するレンズを除いた残りの全てのレンズは、前記接着剤の硬化収縮により前記光軸方向の両端に位置するレンズにより挟持固定されている、
ことを特徴とする電子機器。
【請求項１３】
前記電子機器は携帯電話機である、
ことを特徴とする請求項１２記載の電子機器。
【発明の詳細な説明】
【技術分野】
【０００１】
本発明は複数枚レンズの取り付け構造およびカメラモジュール並びに電子機器に関する。
【背景技術】
【０００２】
複数のレンズが組み込まれた撮像装置などの電子機器が提供されている。
従来このような電子機器では、複数のレンズをレンズ以外の部材である鏡筒などの筒状部材に取着し、この筒状部材を電子機器の筐体やフレームに取り付ける取り付け構造が採用されている（特許文献１参照）。
【特許文献１】特開２００６−３０１６７２号公報
【発明の開示】
【発明が解決しようとする課題】
【０００３】
近年、このような複数のレンズが組み込まれた電子機器の小型化が要求されてきていることから、複数枚のレンズを取り付ける構造もより一層の小型化が要求されてきている。
しかしながら、上述した従来の複数のレンズを鏡筒などの筒状部材を用いて取り付ける取り付け構造では、筒状部材がスペースを占有するため、小型化を図る上で不利があった。
本発明はこのような事情に鑑みなされたものであり、本発明の目的は小型化を図る上で有利な複数枚のレンズの取り付け構造およびカメラモジュール並びに電子機器を提供することにある。
【課題を解決するための手段】
【０００４】
上述の目的を達成するため、本発明の複数枚レンズの取り付け構造は、少なくとも３枚以上のレンズがそれらの光軸を合致させて並べられ、前記光軸方向の両端にそれぞれ位置するレンズに互いに対向する部分が設けられ、前記レンズの前記対向する部分は接着剤により固定されており、前記光軸方向の両端に位置するレンズを除いた残りの全てのレンズは、前記接着剤の硬化収縮により前記光軸方向の両端に位置するレンズにより挟持固定されていることを特徴とする。
また本発明のカメラモジュールは、撮像素子と、被写体像を前記撮像素子に導く撮影光学系とを備え、前記撮影光学系は３枚以上のレンズを含んで構成され、前記３枚以上のレンズはそれらの光軸を合致させて並べられ、前記光軸方向の両端にそれぞれ位置するレンズに互いに対向する部分が設けられ、前記対向する部分は接着剤により固定されており、前記光軸方向の両端に位置するレンズを除いた残りの全てのレンズは、前記接着剤の硬化収縮により前記光軸方向の両端に位置するレンズにより挟持固定されていることを特徴とする。
また本発明の電子機器は、カメラモジュールが組み込まれたものであって、前記カメラモジュールは、撮像素子と、被写体像を前記撮像素子に導く撮影光学系とを備え、前記撮影光学系は３枚以上のレンズを含んで構成され、前記３枚以上のレンズはそれらの光軸を合致させて並べられ、前記光軸方向の両端にそれぞれ位置するレンズに互いに対向する部分が設けられ、前記対向する部分は接着剤により固定されており、前記光軸方向の両端に位置するレンズを除いた残りの全てのレンズは、前記接着剤の硬化収縮により前記光軸方向の両端に位置するレンズにより挟持固定されていることを特徴とする。
【発明の効果】
【０００５】
本発明によれば、光軸方向の両端に位置するレンズを除いた残りの全てのレンズが、接着剤の硬化収縮により光軸方向の両端に位置するレンズにより挟持固定されている。
そのため、従来は必要であった、各レンズを保持するための専用の部材である筒状の部材を省略することができる。
したがって、筒状の部材が占有していたスペースを削減することができ、小型化を図る上で有利となる。
【発明を実施するための最良の形態】
【０００６】
（第１の実施の形態）
まず、本発明の複数枚のレンズの取り付け構造が適用されたカメラモジュール１０が組み込まれる電子機器１００について説明する。
図１は第１の実施の形態のカメラモジュール１０が組み込まれた電子機器１００の一例の説明図で、（Ａ）は第２の筐体１０６上に第１の筐体１０４が重ね合わされ閉じた状態の外観図、（Ｂ）は第２の筐体１０６に対して第１の筐体１０４が開いた状態の外観図である。
図１に示すように、本実施の形態では、カメラモジュール１０が組み込まれた電子機器１００は携帯電話機である。
電子機器１００は、ヒンジ部１０２によって揺動可能に連結された第１、第２の筐体１０４、１０６を有している。
第１の筐体１０４の内面には液晶表示パネルなどで構成されるディスプレイ１０８が設けられ、第２の筐体１０６の内面にはテンキーや機能キーなどの操作部１１０が設けられている。
カメラモジュール１０は、第１の筐体１０４の基端部に組み込まれ、撮像装置１００で撮像した画像はディスプレイ１０８に表示されるように構成されている。
図１（Ａ）において、符号１１２は、第１の筐体１０４に組み込まれたカメラモジュール１０のレンズ１２（図２参照）の前方に設けられた透明材料からなるレンズカバーを示す。
【０００７】
図２は電子機器１００の制御系の構成を示すブロック図である。
電子機器１００は、カメラモジュール１０、ディスプレイ１０８、操作部１１０に加えて、システムコントロール部１４０、メモリ媒体コントローラ１５０などを含んで構成されている。
カメラモジュール１０は、撮像部１３０を含んで構成され、撮像部１３０は基板１８（図３参照）に実装されている。
撮像部１３０は、カメラモジュール１０の撮像素子１４を用いて被写体の撮像を行い、撮像信号をメイン基板に搭載されたシステムコントロール部１４０に出力するものである。
すなわち、撮像部１３０では、撮像素子の出力信号に対し、ＡＧＣ（自動利得制御）、ＯＢ（オプティカルブラック）クランプ、ＣＤＳ（相関二重サンプリング）といった処理を行ってデジタル撮像信号を生成し、システムコントロール部１４０に出力する。
【０００８】
システムコントロール部１４０は、ＣＰＵ１４１、ＲＯＭ１４２、ＲＡＭ１４３、ＤＳＰ１４４、外部インターフェース１４５等が設けられている。
ＣＰＵ１４１は、ＲＯＭ１４２及びＲＡＭ１４３を用いて電子機器１０の各部に指示を送り、システム全体の制御を行うものである。
また、ＣＰＵ１４１は、操作部１１０からの入力信号を監視し、その入力内容に基づいて各種の動作制御を実行するものである。
ＤＳＰ１４４は、撮像部１２０からの撮像信号に対して各種の信号処理を行うことにより、所定のフォーマットによる静止画または動画の映像信号（例えばＹＵＶ信号等）を生成するものである。
外部インターフェース１４５には、各種エンコーダやＤ／Ａ変換器が設けられ、システムコントロール部１４０に接続される外部要素（本例では、ディスプレイ１０８、操作部１１０、メモリ媒体１５１）との間で、各種制御信号やデータをやり取りするものである。
【０００９】
メモリ媒体コントローラ１５０は、システムコントローラ１４０から出力される静止画または動画の映像信号を画像データとしてメモリ媒体１５１に記録し、また、メモリ媒体１５１から画像データを読み出してシステムコントローラ１４０に供給するものである。
メモリ媒体１５１は、例えば、電子機器１０に取り出し不能に組み込まれた内蔵メモリ、あるいは、電子機器１０に設けられた不図示のメモリスロットを介して装脱可能に装着されるメモリカードである。
【００１０】
次にカメラモジュール１０の構成について詳細に説明する。
図３はカメラモジュール１０の構成を示す断面図、図４はレンズ取り付け構造を示す断面図である。
カメラモジュール１０は、レンズ１２と、撮像素子１４と、ホルダ１６と、基板１８とを含んで構成されている。
【００１１】
図３に示すように、撮像素子１４は基板１８に搭載されている。
撮像素子１４は撮影光学系を構成するレンズ１２によって導かれた被写体像を撮像して撮像信号を生成するものである。
撮像素子１４として、ＣＣＤやＣ−ＭＯＳセンサあるいは従来公知のさまざまな撮像素子を用いることができる。
撮像素子１４は、多くの場合、被写体像が導かれる撮像面１４０２が形成された素子本体１４０４と、素子本体１４０４を収容する収容凹部１４０６を有するパッケージ１４０８と、撮像面１４０２を覆うように収容凹部１４０６を閉塞する透明なカバーガラス１４１０などを有している。
そして、パッケージ１４０８の底面が基板１８の表面に接着剤２により取り付けられ、パッケージ１４０８の底面またはパッケージ１４０８の側面下部に露出する接続端子と基板１８の表面の接続端子とが半田付けにより接続されている。
【００１２】
図３に示すように、ホルダ１６は、撮像素子１４が収容されたパッケージ１４０８を覆うように設けられている。
ホルダ１６は基板１８に接着剤により取着されている。
ホルダ１６は、基板１８に取着されパッケージ１４０８を囲む下部大径部１６Ａと、下部大径部１６Ａに続く上部小径部１６Ｂとを有している。
レンズ１２は上部小径部１６Ｂに接着剤４により取着されている。
【００１３】
図４に示すように、レンズ１２は本実施の形態では、第１レンズ２０、第２レンズ２２、第３レンズ２４の３枚が用いられている。
第１レンズ２０は、レンズ部２００２と、レンズ部２００２の外周に続く外周部２００４とを有している。
外周部２００４が撮像素子１４側に臨む箇所に撮像素子１４方向に突出する円筒部２００６が設けられている。
そして、外周部２００４の外周面と円筒部２００６の外周面とは光軸を中心とする単一の円筒面からなる外周面２００８として形成されている。
円筒部２００６の内周面は、光軸を中心とする円筒面からなる係合面２０１０として形成されている。この係合面２０１０は第２レンズ２２に係合して第１レンズ２０と第２レンズ２２との光軸を合致させるものである。
また、円筒部２００６の係合面２０１０と外周部２００４との境の部分には、係合面２０１０に続く当接面２０１２が形成されている。当接面２０１２は光軸と直交する平面上を延在している。この当接面２０１２は第２レンズ２２が光軸方向において当接する箇所である。
【００１４】
第２レンズ２２は、レンズ部２２０２と、レンズ部２２０２の外周に続く外周部２２０４とを有している。
外周部２２０４の外周面は、光軸を中心とする円筒面からなる係合面２２０６として形成されている。この係合面２２０６は第１レンズ２０の係合面２０１０に係合可能であり、それら係合面２０１０、２２０６が係合することで第１レンズ２０と第２レンズ２２の光軸が合致される。
外周部２２０４の一方の端面は、光軸と直交する平面上を延在する当接面２２０８として形成されている。この当接面２２０８は、第１レンズ２０の当接面２０１２に当接可能である。
また、外周部２２０４の他方の端面は、光軸と直交する平面上を延在する当接面２２１０として形成されている。この当接面２２１０は、第３レンズ２４に当接する箇所である。
【００１５】
第３レンズ２４は、レンズ部２４０２と、レンズ部２４０２の外周に続く外周部２４０４とを有している。
外周部２４０４が第２レンズ２２に臨む箇所に第２レンズ２２方向に突出する円筒部２４０６が設けられている。
そして、外周部２４０４の外周面と円筒部２４０６の外周面とは光軸を中心とする単一の円筒面からなる外周面２４０８として形成されている。本実施の形態では、この外周面２４０８は第１レンズ２０の外周面２００８と同一の寸法で形成されている。
円筒部２４０６の内周面は、光軸を中心とする円筒面からなる係合面２４１０として形成されている。この係合面２４１０は第２レンズ２２の係合面２２０６に係合して第２レンズ２２と第３レンズ２４との光軸を合致させるものである。
また、円筒部２４０６の係合面２４１０と外周部２４０４との境の部分には、係合面２４１０に続く当接面２４１２が形成されている。当接面２４１２は光軸と直交する平面上を延在している。この当接面２４１２は第２レンズ２２の当接面２２１０に当接可能である。
なお、第２レンズ２２の当接面２２０８、２２１０間の寸法は、光軸に沿った係合面２０１０、２４１０の寸法の和よりも大きな値で形成され、第２レンズ２２の当接面２２０８、２２１０に第１、第３レンズ２４の当接面２０１２、２４１２が当接した際に、第１、第３レンズ２４の円筒部２００６、２４０６の先端面２００６Ａ、２４０６Ａ間に隙間が確保されるように形成されている。
なお、円筒部２００６、２４０６の先端面２００６Ａ、２４０６Ａは、それぞれ光軸と直交する平面上を延在している。
本実施の形態では、先端面２００６Ａ、２４０６Ａを含む円筒部２００６、２４０６の部分が特許請求の範囲の環板部に相当している。
また、光軸方向の両端に位置する第１、第３レンズ２０、２４の外径は、それらレンズ２０、２４の間に挟持固定される第２レンズ２２の外径よりも大きい寸法で形成されている。
【００１６】
第１、第２、第３レンズ２０、２２、２４は、従来のようにレンズを保持するための専用の部材である筒状の部材を用いることなく、それらの光軸を合致させた状態で接着剤６により固定されている。
詳細に説明すると、係合面２０１０、２２０６を係合させ、当接面２０１２、２２０８を当接して第１レンズ２０に第２レンズ２２が組み込まれる。
また、係合面２２０６、２４１０を係合させ、当接面２２１０、２４１２を当接して第２レンズ２２に第３レンズ２４が組み込まれる。
そして、このような第１、第２、第３レンズ２０、２２、２４の組み付け状態を適宜治具を用いて保持する。
次に、向かい合う円筒部２００６、２４０６の先端面２００６Ａ、２４０６Ａの間に接着剤６として紫外線硬化型接着剤６を充填する。なお、紫外線硬化型接着剤６を充填する箇所は先端面２００６Ａ、２４０６Ａの周方向に間隔をおいた複数箇所であり、例えば２箇所である。
【００１７】
次に、紫外線硬化型接着剤６に紫外線を照射する。
そして、紫外線硬化型接着剤６が硬化する際に、紫外線硬化型接着剤６の体積が収縮するいわゆる硬化収縮が生じ、この硬化収縮により第１、第３レンズ２０、２４が光軸に沿った方向で互いに引き付けられる。
これにより当接面２０１２、２２０８、２２１０、２４１２を介して第２レンズ２２が第１レンズ２０と第３レンズ２４により挟持固定される。
このように一体化された第１、第２、第３レンズ２０、２２、２４は、例えば、図３に示すように第１レンズ２０の外周面２２０８がホルダ１６の上部小径部１６Ｂの上部内周面１６０２に嵌合され、接着剤４により上部小径部１６Ｂに取着される。
なお、本実施の形態では、第１、第２、第３レンズ２０、２２、２４および紫外線硬化型接着剤６によって本発明の複数枚レンズの取り付け構造が構成されている。
【００１８】
本実施の形態によれば、従来のように、レンズを保持するための専用の部材である筒状の部材を用いる構造に比べて次のような利点を有する。
レンズを保持するための専用の部材である筒状の部材を省略できるため、筒状の部材が占有していたスペースを削減することができ、小型化を図る上で有利となる。特に、携帯電話機では、携帯電話機自体が小型化される傾向にあり、限られた狭いスペースにカメラモジュール１０を組み込む必要があるため、携帯電話機に好適なカメラモジュール１０を実現する上で有利となる。
また、従来、筒状の部材が占有していたスペースを、ホルダ１６を配置するスペースとして使用でき、スペースの有効利用を図る上で有利となる。
また、筒状の部材が不要となるため、部品点数を削減でき、カメラモジュール１０のコストダウンを図る上で有利となる。
【００１９】
また、接着剤を用いて隣り合うレンズ２０、２２、２４同士を接着することが考えられるが、すなわち、第１レンズ２０と第２レンズ２２とを接着剤を用いて接着し、また、第２レンズ２２と第３レンズ２４とを接着剤を用いて接着することが考えられる。
この場合、周方向の２箇所に接着剤を塗布して接着することを想定すると、合計４箇所に接着剤を塗布し、それらの箇所に紫外線を照射する必要がある。
これに対して本実施の形態では、３枚のレンズ２０、２２、２４を固定するに際し、合計２箇所に接着剤を塗布し、それら２箇所に紫外線を照射すれば足り、レンズ取り付けの工数が半分で済む。
カメラモジュール１０の製造は、千個単位、または、５千個単位、または、１万個単位で行われており、したがって、本実施の形態によれば、レンズ取り付けに要する工数を大幅に削減できるので、カメラモジュール１０のコストダウンを図る上で極めて有利となる。
なお、上述の接着剤の塗布工程の数および紫外線の照射工程の数は、光軸方向の両端に位置するレンズで挟まれるレンズの枚数が増えても不変であるため、この効果は、光軸方向の両端に位置するレンズで挟まれるレンズの枚数が増えるほど顕著となる。
【００２０】
（第２の実施の形態）
次に第２の実施の形態について説明する。
図５は第２の実施の形態のレンズ取り付け構造の要部を示す説明図である。
第１の実施の形態と同一の部材、箇所に同一の符号を付して説明すると、第２の実施の形態では、紫外線硬化型接着剤６により固定された第１、第３レンズ２０、２４の対向する部分が、光軸に直交する平面に対して平行する面上を延在して互いに向かい合う平面２０２０、２４２０と、第１、第３レンズ２０、２４の半径方向外方に位置する平面２０２０、２４２０の端部から第１、第３レンズ２０、２４の半径方向外方に向かうにつれて互いに離れる方向に変位する傾斜面２０２２、２４２２とを含んで構成されている。
紫外線硬化型接着剤６により固定された第１、第３レンズ２０、２４の対向する部分をこのような傾斜面２０２２、２４２２を用いて形成すると、紫外線硬化型接着剤６の充填作業がしやすくなり、作業効率を高める上で有利となる。
【００２１】
（第３の実施の形態）
次に第３の実施の形態について説明する。
図６は第３の実施の形態のレンズ取り付け構造を示す断面図である。
第３の実施の形態では、光軸方向の両端に位置するレンズにより２枚のレンズを挟持固定した点が第１の実施の形態と異なっている。
レンズ３０は本実施の形態では、第１レンズ３２、第２レンズ３４、第３レンズ３６、第４レンズ３８の４枚が用いられている。
第１レンズ３２は、レンズ部３２０２と、レンズ部の外周に続く外周部３２０４とを有している。
外周部３２０４の外周は光軸を中心とする円筒面からなる外周面３２０６として形成されている。
外周面３２０６の内側で外周部３２０４が撮像素子１４側に臨む箇所に、光軸を中心とした円錐面からなる係合面３２０８が設けられている。この係合面３２０８は第２レンズ３４に係合して第１レンズ３２と第２レンズ３４との光軸を合致させるものであり、また、第２レンズ３４が光軸方向において当接する箇所でもある。
【００２２】
第２レンズ３４は、レンズ部３４０２と、レンズ部３４０２の外周に続く外周部３４０４とを有している。
外周部３４０４の一方の端面には、第１レンズ３２の係合面３２０８に係合可能な係合面３４０６が形成されている。
外周部３４０４の他方の端面には、光軸を中心とした円錐面からなる係合面３４０８が設けられている。この係合面３４０８は第３レンズ３６に係合して第２レンズ３４２０と第３レンズ３６との光軸を合致させるものであり、また、第３レンズ３６が光軸方向において当接する箇所でもある。
【００２３】
第３レンズ３６は、レンズ部３６０２と、レンズ部３６０２の外周に続く外周部３６０４とを有している。
外周部３６０４の一方の端面には、第２レンズ３４の係合面３４０８に係合可能な係合面３６０６が形成されている。
外周部３６０４の他方の端面には、光軸を中心とした円錐面からなる係合面３６０８が設けられている。この係合面３６０８は第４レンズ３８に係合して第３レンズ３６と第４レンズ３８との光軸を合致させるものであり、また、第４レンズ３８が光軸方向において当接する箇所でもある。
【００２４】
第４レンズ３８は、レンズ部３８０２と、レンズ部３８０２の外周に続く外周部３８０４とを有している。
外周部３８０４の外周は光軸を中心とする円筒面からなる外周面３８０６として形成されている。本実施の形態では、外周面３８０６は、第１レンズ３２の外周面３２０６と同一の寸法で形成されている。
外周面３８０６の内側で外周部３８０４が第３レンズ３６に臨む箇所に、係合面３６０８に係合可能な係合面３８０８が形成されている。
なお、第１レンズ３２と第４レンズ３８の間に、係合面３２０８、３４０６、３４０８、３６０６、３６０８、３８０８を係合させて第２レンズ３４と第３レンズ３６を配置した状態で、第２、第３レンズ３４、３６の半径方向外側で第１、第４レンズ３２、３８の外周部３２０４、３８０４の先端面３２０４Ａ、３８０４Ａ間に隙間が確保されるように形成されている。
なお、外周部３２０４、３８０４の先端面３２０４Ａ、３８０４Ａは、それぞれ光軸と直交する平面上を延在している。
本実施の形態では、先端面３２０４Ａ、３８０４Ａを含む外周部３２０４、３８０４の部分が特許請求の範囲の環板部に相当している。
また、光軸方向の両端に位置する第１、第４レンズ３２、３８の外径は、それらレンズ３２、３８の間に挟持固定される第２、第３レンズ３４、３６の外径よりも大きい寸法で形成されている。
【００２５】
第１、第２、第３、第４レンズ３２、３４、３６、３８は、従来のようにレンズを保持するための専用の部材である筒状の部材を用いることなく、それらの光軸を合致させた状態で接着剤により固定されている。
詳細に説明すると、係合面３２０８、３４０６を係合させて第１レンズ３２に第２レンズ３４が組み込まれる。
また、係合面３４０８、３６０６を係合させて第２レンズ３４に第３レンズ３６が組み込まれる。
また、係合面３６０８、３８０８を係合させて第３レンズ３６に第４レンズ３８が組み込まれる。
そして、このような第１、第２、第３、第４レンズ３２、３４、３６、３８の組み付け状態を適宜治具を用いて保持する。
次に、向かい合う外周部３２０４、３８０４の先端面３２０４Ａ、３８０４Ａの間に紫外線硬化型接着剤６を充填する。なお、充填する箇所は先端面３２０４Ａ、３８０４Ａの周方向に間隔をおいた複数箇所であり、例えば２箇所である。
【００２６】
次に、紫外線硬化型接着剤６に紫外線を照射する。
そして、紫外線硬化型接着剤６が硬化する際に、紫外線硬化型接着剤６の体積が収縮するいわゆる硬化収縮が生じ、この硬化収縮により第１、第４レンズ３２、３８が光軸に沿った方向で互いに引き付けられる。
これにより係合面３２０８、３４０６、３４０８、３６０６、３６０８、３８０８を介して第２、第３レンズ３４、３６が第１レンズ３２と第４レンズ３８により挟持固定される。
このように一体化された第１、第２、第３、第４レンズ３２、３４、３６、３８は、例えば、図３に示すように第１レンズ３２の外周面３２０６がホルダ１６の上部小径部１６Ｂの上部内周面１６０２に嵌合され、接着剤４により上部小径部１６Ｂに取着される。
なお、本実施の形態では、第１、第２、第３、第４レンズ３２、３４、３６、３８および紫外線硬化型接着剤６によって本発明の複数枚レンズの取り付け構造が構成されている。
【００２７】
このような第３の実施の形態によっても、第１の実施の形態と同様に、レンズを保持するための専用の部材である筒状の部材を省略できるため、筒状の部材が占有していたスペースを削減することができ、小型化を図る上で有利となる。特に、携帯電話機では、携帯電話機自体が小型化される傾向にあり、限られた狭いスペースにカメラモジュール１０を組み込む必要があるため、携帯電話機に好適なカメラモジュール１０を実現する上で有利となる。
また、従来、筒状の部材が占有していたスペースを、ホルダ１６を配置するスペースとして使用でき、スペースの有効利用を図る上で有利となる。
また、筒状の部材が不要となるため、部品点数を削減でき、カメラモジュール１０のコストダウンを図る上で有利となる。
【００２８】
また、接着剤を用いて隣り合うレンズ３２、３４、３６、３８同士を接着することが考えられるが、すなわち、第１レンズ３２と第２レンズ３４とを接着剤を用いて接着し、また、第２レンズ３４と第３レンズ３６とを接着剤を用いて接着し、また、第３レンズ３６と第４レンズ３８とを接着剤を用いて接着することが考えられる。
この場合、周方向の２箇所に接着剤を塗布して接着することを想定すると、合計６箇所に接着剤を塗布し、それらの箇所に紫外線を照射する必要がある。
これに対して本実施の形態では、４枚のレンズ３２、３４、３６、３８を固定するに際し、合計２箇所に接着剤を塗布し、それら２箇所に紫外線を照射すれば足り、レンズ取り付けの工数が１／３で済む。
カメラモジュール１０の製造は、千個単位、または、５千個単位、または、１万個単位で行われており、したがって、本実施の形態によれば、レンズ取り付けに要する工数を大幅に削減できるので、カメラモジュール１０のコストダウンを図る上で極めて有利となる。
【００２９】
なお、実施の形態では、複数のレンズに形成した係合面を係合させることで各レンズの光軸を合致させるようにしたが、各レンズに係合面を形成せず、専用の調整治具を用いて各レンズの光軸を合致させるようにしてもよい。
ただし、実施の形態のように各レンズに形成した係合面を係合させることによりレンズの光軸を合致させるようにすると、各レンズの光軸を合致させる作業が簡単かつ迅速に行え、製造コストを削減する上で有利となる。
【００３０】
また、実施の形態では、レンズ１２、３０がホルダ１６に移動不能に取着される場合について説明したが、レンズ１２、３０をホルダ１６に対して光軸方向に移動可能に配設してもよい。
また、実施の形態では、カメラモジュール１０が組み込まれる電子機器１００が携帯電話機である場合について説明したが、本発明のカメラモジュール１０は、例えば、ＰＤＡ、ノート型パーソナルコンピュータなどの携帯情報端末、あるいは、デジタルスチルカメラ、ビデオカメラなどの種々の電子機器に広く適用可能であり、さらに、本発明の複数枚レンズの取り付け構造は、種々の機器の光学系に広く適用可能である。
【図面の簡単な説明】
【００３１】
【図１】第１の実施の形態のカメラモジュール１０が組み込まれた電子機器１００の一例の説明図である。
【図２】電子機器１００の制御系の構成を示すブロック図である。
【図３】カメラモジュール１０の構成を示す断面図である。
【図４】レンズ取り付け構造を示す断面図である。
【図５】第２の実施の形態のレンズ取り付け構造の要部を示す説明図である。
【図６】第３の実施の形態のレンズ取り付け構造を示す断面図である。
【符号の説明】
【００３２】
６……紫外線硬化型接着剤、１０……カメラモジュール、１２……レンズ、１４……撮像素子、１６……ホルダ、２０……第１レンズ、２２……第２レンズ、２４……第３レンズ、３０……レンズ、３２……第１レンズ、３４……第２レンズ、３６……第３レンズ、３８……第４レンズ、１００……電子機器。
【図１】
2008262027.tif 000003
【図２】
2008262027.tif 000004
【図３】
2008262027.tif 000005
【図４】
2008262027.tif 000006
【図５】
2008262027.tif 000007
【図６】
2008262027.tif 000008